(57)【要約】【課題】良好な光学特性を得ることができる光学装置及び光学機器を提供する。【解決手段】本発明に係る光学装置は、光学系（Ｌ４）を保持する第１保持枠（４０）と、前記第１保持枠を保持する第２保持枠（５０）と、前記光学系の光軸と交差する方向において前記第１保持枠と前記第２保持枠との間に配置された弾性体（６２）と、前記光軸と交差する方向において前記弾性体との間に前記第１保持枠を挟むように配置され、前記第１保持枠を前記弾性体に向けて押圧する調芯部材（６１）と、前記光軸と交差する方向に軸線を有し、当該軸線を中心として回転することにより、前記第１保持枠を前記第２保持枠に対して固定する状態又は前記第１保持枠を前記第２保持枠に対して固定しない状態とする偏芯部材（７１）と、を備える。【選択図】図２
2012141536.tif 000002
【特許請求の範囲】
【請求項１】
光学系を保持する第１保持枠と、
前記第１保持枠を保持する第２保持枠と、
前記光学系の光軸と交差する方向において前記第１保持枠と前記第２保持枠との間に配置された弾性体と、
前記光軸と交差する方向において前記弾性体との間に前記第１保持枠を挟むように配置され、前記第１保持枠を前記弾性体に向けて押圧する調芯部材と、
前記光軸と交差する方向に軸線を有し、当該軸線を中心として回転することにより、前記第１保持枠を前記第２保持枠に対して固定する状態又は前記第１保持枠を前記第２保持枠に対して固定しない状態とする偏芯部材と、
を備えることを特徴とする光学装置。
【請求項２】
請求項１に記載の光学装置において、
前記第２保持枠は、前記第１保持枠の前記光軸の方向への移動を規制する固定部材を備え、
前記偏芯部材は、前記固定部材との間に前記第１保持枠を挟むように前記光軸と交差する軸線を中心として回転すること、
を特徴とする光学装置。
【請求項３】
請求項１又は２に記載の光学装置において、
前記第１保持枠を前記光軸の方向に付勢する付勢部材を備えること、
を特徴とする光学装置。
【請求項４】
請求項１〜３のいずれか一項に記載の光学装置において、
前記偏芯部材は、前記光軸の方向から見たときに、前記第１保持枠の外周に沿って等間隔で３箇所に配置されていること、
を特徴とする光学装置。
【請求項５】
請求項１〜４のいずれか一項に記載の光学装置において、
前記調芯部材は、前記偏芯部材の近傍に配置されていること、
を特徴とする光学装置。
【請求項６】
請求項１〜５のいずれか一項に記載の光学装置を備えた光学機器。
【発明の詳細な説明】
【技術分野】
【０００１】
本発明は、光学装置及び光学機器に関するものである。
【背景技術】
【０００２】
従来、レンズ鏡筒に保持されたレンズの光軸を調整する方法が提案されている。例えば、レンズ保持枠の外周面に当接させた複数の調整ネジをレンズの径方向に進退させることにより、レンズ保持枠をレンズの径方向へ変位させるように構成されたレンズ枠が知られている（特許文献１参照）。
【先行技術文献】
【特許文献】
【０００３】
【特許文献１】特開２００４−１０９７１０号公報
【発明の概要】
【発明が解決しようとする課題】
【０００４】
本発明の課題は、良好な光学特性を得ることができる光学装置及び光学機器を提供することにある。
【課題を解決するための手段】
【０００５】
本発明は、以下のような解決手段により前記課題を解決する。なお、理解を容易にするために、本発明の実施形態に対応する符号を付して説明するが、これに限定されるものではない。
請求項１に記載の発明は、光学系を保持する第１保持枠（４０）と、前記第１保持枠を保持する第２保持枠（５０）と、前記光学系の光軸と交差する方向において前記第１保持枠と前記第２保持枠との間に配置された弾性体（６２）と、前記光軸と交差する方向において前記弾性体との間に前記第１保持枠を挟むように配置され、前記第１保持枠を前記弾性体に向けて押圧する調芯部材（６１）と、前記光軸と交差する方向に軸線を有し、当該軸線を中心として回転することにより、前記第１保持枠を前記第２保持枠に対して固定する状態又は前記第１保持枠を前記第２保持枠に対して固定しない状態とする偏芯部材（７１）と、を備えることを特徴とする光学装置である。
請求項２に記載の発明は、請求項１に記載の光学装置において、前記第２保持枠（５０）は、前記第１保持枠（４０）の前記光軸の方向への移動を規制する固定部材（５２）を備え、前記偏芯部材（７１）は、前記固定部材との間に前記第１保持枠を挟むように前記光軸と交差する軸線を中心として回転することを特徴とする。
請求項３に記載の発明は、請求項１又は２に記載の光学装置において、前記第１保持枠を（４０Ａ）前記光軸の方向に付勢する付勢部材（６９）を備えることを特徴とする。
請求項４に記載の発明は、請求項１〜３のいずれか一項に記載の光学装置において、前記偏芯部材（７１）は、前記光軸の方向から見たときに、前記第１保持枠（４０）の外周に沿って等間隔で３箇所に配置されていることを特徴とする。
請求項５に記載の発明は、請求項１〜４のいずれか一項に記載の光学装置において、前記調芯部材（６１）は、前記偏芯部材（７１）の近傍に配置されていることを特徴とする。
請求項６に記載の発明は、請求項１〜５のいずれか一項に記載の光学装置を備えた光学機器（１）である。
なお、符号を付して説明した構成は、適宜改良してもよく、また、少なくとも一部を他の構成物に代替してもよい。
【発明の効果】
【０００６】
本発明によれば、良好な光学特性を得ることができる光学装置及び光学機器を提供することができる。
【図面の簡単な説明】
【０００７】
【図１】第１実施形態におけるレンズ鏡筒１の概略断面図である。
【図２】図１のＡ−Ａ線断面に相当する固定部材５２及びレンズ保持枠４０の構成を示す概略断面図である。
【図３】調芯ビス６１の構成を示す概略断面図である。
【図４】押圧バネ６２の構成を示す概略断面図である。
【図５】偏芯ピン７１の非固定状態における構成を示す概略断面図である。
【図６】偏芯ピン７１の固定状態における構成を示す概略断面図である。
【図７】（ａ）、（ｂ）は、偏芯ピン７１を軸方向から見たときの概略平面図である。
【図８】第２実施形態における光軸固定機構７０Ｄの構成を示す概略断面図である。
【発明を実施するための形態】
【０００８】
以下、図面を参照して、本発明に係る光学装置及びこれを備えた光学機器の実施形態について説明する。
【０００９】
なお、以下に示す各図には、説明と理解とを容易にするために、適宜にＸＹＺの直交座標系を設けた。この座標系では、撮影者が光軸ＯＡを水平として横長の画像を撮影する場合のカメラの位置（以下、正位置という）において撮影者から見て左側に向かう方向をＸプラス方向とする。また、正位置において上側に向かう方向をＹプラス方向とする。さらに、正位置において被写体に向かう方向をＺプラス方向とする。このＺ方向の被写体に向かうＺプラス方向を前面側、Ｚマイナス方向を背面側ともいう。
【００１０】
＜第１実施形態＞
図１は、第１実施形態におけるレンズ鏡筒１の概略断面図である。図２は、図１のＡ−Ａ線断面に相当する固定部材５２及びレンズ保持枠４０の構成を示す概略断面図である。
本実施形態のレンズ鏡筒１は、図１に示すように、固定筒１０と、カム筒２０と、外筒３０と、ズーム操作環３１と、フォーカス操作環３２と、を備える。
【００１１】
固定筒１０は、略円筒状の部材である。固定筒１０の基端部（背面側の端）には、レンズマウント１Ｍが設けられている。レンズマウント１Ｍは、カメラボディ（不図示）に設けられたボディマウントと着脱自在に係合する部材である。レンズマウント１Ｍがボディマウントと係合することにより、レンズ鏡筒１はカメラボディに装着される。固定筒１０には、直進溝１１が形成されている。直進溝１１は、固定筒１０において、光軸ＯＡと平行に形成された溝である。直進溝１１には、カムピン５１（後述）が係合する。
【００１２】
カム筒２０は、略円筒状の部材である。カム筒２０は、固定筒１０の内周面側に設けられている。カム筒２０は、固定筒１０の内周に同芯状に嵌合している。カム筒２０は、固定筒１０に対して回転可能に構成されている。カム筒２０は、ズーム操作環３１及びフォーカス操作環３２と連動機構（不図示）を介して連結されている。カム筒２０は、使用者がズーム操作環３１を回転させると、前記連動機構を介して光軸ＯＡを中心として回転する。
【００１３】
カム筒２０には、カム溝２１が形成されている。カム溝２１は、カム筒２０の周方向において、光軸ＯＡに対して斜めに形成された溝である。カム溝２１には、カムピン５１（後述）が係合する。
【００１４】
カム筒２０の内周面側（且つレンズマウント１Ｍ側）には、第２保持枠としての連結部材５０が設けられている。連結部材５０は、レンズ保持枠４０（後述）を保持するための環状の部材である。連結部材５０は、各レンズ群に設けられているが、図１では、第４レンズ群Ｌ４に対応する連結部材５０のみを示す。
【００１５】
連結部材５０は、径方向の外周面側にカムピン５１を備える。カムピン５１は、固定筒１０の直進溝１１とカム筒２０のカム溝２１とに係合する部材である。また、連結部材５０は、径方向の内周面側に固定部材５２を備える。固定部材５２は、レンズ保持枠４０が光軸ＯＡの方向へ移動するのを規制する環状の部材である。
【００１６】
外筒３０は、レンズ鏡筒１の外面（一部）を形成する略円筒状の部材である。外筒３０は、固定筒１０の外周面側に設けられている。
【００１７】
ズーム操作環３１は、外筒３０の外周面側であって、前面側（Ｚプラス方向）に設けられている。ズーム操作環３１は、固定筒１０に対して回転自在に取り付けられている。フォーカス操作環３２は、外筒３０の外周面側であって、背面側（Ｚマイナス方向）に設けられている。フォーカス操作環３２は、固定筒１０に対して回転自在に取り付けられている。
【００１８】
カム筒２０の内部には、第１レンズ群Ｌ１，第２レンズ群Ｌ２，第３レンズ群Ｌ３，第４レンズ群Ｌ４（以下、適宜に「各レンズ群」という）が設けられている。各レンズ群は、複数枚のレンズにより構成されるが、図１では１枚のレンズにより模式的に示している。各レンズ群は、それぞれのレンズ保持枠４０に保持されている（図１では、第４レンズ群Ｌ４を保持するレンズ保持枠４０のみを示す）。
【００１９】
レンズ保持枠４０は、各レンズ群を保持する環状の部材である。レンズ保持枠４０は、連結部材５０の内周面側に設けられている。第１レンズ群Ｌ１〜第４レンズ群Ｌ４は、それぞれのレンズ保持枠４０に保持された状態で光軸ＯＡに沿って移動することができる。各レンズ群は、ズーム操作環３１及びフォーカス操作環３２の回転に連動して、光軸ＯＡに沿って所定の関係で前後に移動する。
【００２０】
すなわち、連結部材５０のカムピン５１は、カム筒２０のカム溝２１を貫通し、更に固定筒１０の直進溝１１と係合している。使用者がズーム操作環３１を回転する操作を行うと、カム筒２０が回転する。カム筒２０が回転すると、カム溝２１の位置が変位するため、カムピン５１はカム溝２１により光軸ＯＡの方向に押される。カムピン５１は、直進溝１１と係合している。このため、連結部材５０は、カム筒２０と供回りすることなく、直進溝１１に沿って光軸ＯＡに沿って移動する。このような連結部材５０の移動により、それぞれのレンズ保持枠４０に保持された各レンズ群Ｌ１〜Ｌ４は、それぞれの位置関係を変位させながら光軸ＯＡに沿って移動する。
【００２１】
第４レンズ群Ｌ４を保持するレンズ保持枠４０（以下、単に「レンズ保持枠４０」という）は、図２に示すように、光軸調整機構６０Ａ，６０Ｂを備える。光軸調整機構６０Ａ，６０Ｂは、第４レンズ群Ｌ４の位置を、光軸ＯＡと交差する面内で調整するための機構である。光軸調整機構６０Ａ，６０Ｂにより、レンズを組み立てる際に部品の寸法公差等に起因する光軸のずれを調整（以下、適宜に「光軸調整」という）することができる。
【００２２】
また、レンズ保持枠４０は、図２に示すように、光軸固定機構７０Ａ，７０Ｂ，７０Ｃを備える。光軸固定機構７０Ａ，７０Ｂ，７０Ｃは、光軸調整されたレンズ保持枠４０の位置を固定するための機構である。光軸固定機構７０Ａ，７０Ｂ，７０Ｃにより、光軸調整したレンズ保持枠４０の位置が振動や衝撃等によりずれるのを防止することができる。すなわち、光軸固定機構７０Ａ，７０Ｂ，７０Ｃを用いてレンズ保持枠４０の位置を固定することにより、第４レンズ群Ｌ４を含むレンズ群の光学性能を保持することができる。なお、図１では、光軸調整機構６０Ａ，６０Ｂ及び光軸固定機構７０Ａ，７０Ｂ，７０Ｃの図示を省略する。
【００２３】
次に、光軸調整機構６０Ａ，６０Ｂの構成を、図２、図３及び図４を参照しながら説明する。図３は、調芯ビス６１の構成を示す概略断面図である。図４は、押圧バネ６２の構成を示す概略断面図である。図３及び図４は、光軸ＯＡと平行な面で切断したときの断面であり、光軸ＯＡを挟んでそれぞれ反対側の断面を示している。
【００２４】
光軸調整機構６０Ａ，６０Ｂは、図２に示すように、光軸ＯＡを中心として、周方向に９０°離れた位置に配置されている。本実施形態の光軸調整機構６０Ａ，６０Ｂは同一構成であるため、以下、光軸調整機構６０Ａを代表して説明する。
【００２５】
光軸調整機構６０Ａは、調芯部材としての調芯ビス６１と、弾性体としての押圧バネ６２と、バネ押えビス６３と、を備える。
【００２６】
調芯ビス６１は、レンズ保持枠４０の位置を光軸ＯＡの方向に調整するための部材である。調芯ビス６１は、連結部材５０に取り付けられている。連結部材５０には、雌ネジ５３が形成されている。雌ネジ５３は、調芯ビス６１を取り付けるためのネジ孔である。雌ネジ５３は、ネジ孔の中心線が光軸ＯＡと交差するように形成されている。調芯ビス６１には、雄ネジ６４と、ドライバ溝６５と、が形成されている。
【００２７】
調芯ビス６１は、図３に示すように、連結部材５０の雌ネジ５３にネジ込まれた状態で使用される。調芯ビス６１は、ドライバ溝６５にドライバ（不図示）の先端を係合させて時計回りに回転させることにより、光軸ＯＡの方向に移動（前進）させることができる。また、調芯ビス６１は、ドライバ溝６５にドライバを係合させて反時計回りに回転させることにより、光軸ＯＡと反対方向に移動（後退）させることができる。
【００２８】
このように、調芯ビス６１は、光軸ＯＡと交差する面内において、押圧バネ６２（後述）との間にレンズ保持枠４０を挟むように配置されている。そして、調芯ビス６１を時計回り又は反時計回りに回転させることにより、レンズ保持枠４０を押圧バネ６２の方向に前進又は後退させることができる。
【００２９】
なお、レンズ保持枠４０の外周面側に位置する部材（例えば、固定筒１０やカム筒２０等）において、調芯ビス６１と対応する位置には、外部からドライバの先端を挿入するための調整孔（不図示）が形成されている。
【００３０】
一方、図４に示すように、調芯ビス６１と光軸ＯＡを間に挟んで反対側の位置には、押圧バネ６２と、バネ押えビス６３と、が設けられている。押圧バネ６２は、レンズ保持枠４０を光軸ＯＡと交差する面内に付勢する弾性部材である。押圧バネ６２は、押圧された方向と反対側の方向に付勢力を発生する圧縮（コイル）バネである。バネ押えビス６３は、押圧バネ６２の付勢力を調整するための部材である。
【００３１】
レンズ保持枠４０の外周面側には、凹部６６が形成されている。凹部６６は、押圧バネ６２の一方の側が嵌め込まれる溝である。
【００３２】
また、連結部材５０には、雌ネジ５４が形成されている。雌ネジ５４は、バネ押えビス６３を取り付けるためのネジ孔である。雌ネジ５４は、ネジ孔の中心線が光軸ＯＡと交差するように形成されている。バネ押えビス６３には、雄ネジ６７と、ドライバ溝６８と、が形成されている。
【００３３】
バネ押えビス６３は、図４に示すように、連結部材５０の雌ネジ５４にネジ込まれた状態で使用される。バネ押えビス６３は、ドライバ溝６８にドライバ（不図示）の先端を係合させて時計回りに回転させることにより、光軸ＯＡの方向に移動（前進）させることができる。また、バネ押えビス６３は、ドライバ溝６８にドライバの先端を係合させて反時計回りに回転させることにより、光軸ＯＡと反対方向に移動（後退）させることができる。このように、バネ押えビス６３を光軸ＯＡの方向又は反対方向に移動させることにより、押圧バネ６２の光軸ＯＡ方向への付勢力を調整することができる。
【００３４】
押圧バネ６２は、レンズ保持枠４０に形成された凹部６６とバネ押えビス６３との間に配置されている。このように、押圧バネ６２は、光軸ＯＡと交差する面内において、レンズ保持枠４０と連結部材５０との間に配置されている。
【００３５】
なお、レンズ保持枠４０の外周面側に位置する部材（例えば、固定筒１０やカム筒２０等）において、バネ押えビス６３と対応する位置には、外部からドライバの先端を挿入するための調整孔（不図示）が形成されている。
【００３６】
また、レンズ保持枠４０には、図３及び図４に示すように、押圧座面４０ａが形成されている。押圧座面４０ａは、固定部材５２の側に形成されている。一方、固定部材５２には、固定座面５２ａが形成されている。固定座面５２ａは、レンズ保持枠４０の側に形成されている。押圧座面４０ａ及び固定座面５２ａは、光軸ＯＡと直交する平面を有する。このため、押圧座面４０ａと固定座面５２ａとは、図３及び図４に示すように、互いに平行に当接する。
【００３７】
次に、光軸固定機構７０Ａ〜７０Ｃの構成について、図２、図５〜図７を参照しながら説明する。図５は、偏芯ピン７１の非固定状態における構成を示す概略断面図である。図６は、偏芯ピン７１の固定状態における構成を示す概略断面図である。図５及び図６は、光軸ＯＡと平行な面で切断したときの断面であり、光軸ＯＡを中心とする一方の側の同一断面を示している。図７（ａ）、（ｂ）は、偏芯ピン７１を軸方向から見たときの概略平面図である。
【００３８】
光軸固定機構７０Ａ，７０Ｂ，７０Ｃは、図２に示すように、光軸ＯＡを中心として、周方向に１２０°離れた位置に配置されている。すなわち、偏芯ピン７１（後述）は、光軸ＯＡ方向から見たときに、レンズ保持枠４０の外周に沿って等間隔で３箇所に配置されている。
【００３９】
本実施形態において、光軸調整機構６０Ａは、光軸固定機構７０Ａの近傍に配置されている。また、光軸調整機構６０Ｂは、光軸固定機構７０Ｂの近傍に配置されている。すなわち、光軸調整機構６０Ａの調芯ビス６１は、光軸固定機構７０Ａの偏芯ピン７１の近傍に配置されている。また、光軸調整機構６０Ｂの調芯ビス６１は、光軸固定機構７０Ｂの偏芯ピン７１の近傍に配置されている。本実施形態の光軸固定機構７０Ａ〜７０Ｃは、同一構成であるため、以下、光軸固定機構７０Ａを代表して説明する。
【００４０】
光軸固定機構７０Ａは、偏芯部材としての偏芯ピン７１により構成されている。偏芯ピン７１は、レンズ保持枠４０を固定部材５２に対して固定する部材である。偏芯ピン７１は、連結部材５０に取り付けられている。連結部材には、雌ネジ５５が形成されている。雌ネジ５５は、偏芯ピン７１を取り付けるためのネジ孔である。雌ネジ５５は、ネジ孔の中心線が光軸ＯＡと交差するように形成されている。
【００４１】
偏芯ピン７１には、雄ネジ７２と、ドライバ溝７３と、偏芯部７４と、が形成されている。偏芯部７４は、偏芯ピン７１と共に回転して、レンズ保持枠４０を押圧する部分である。
【００４２】
図７（ａ）、（ｂ）に示すように、偏芯部７４の中心軸Ｃ２は、偏芯ピン７１の中心軸Ｃ１に対して距離ｄだけ偏芯している。偏芯ピン７１は、光軸ＯＡと交差する中心軸Ｃ１（軸線）を有する。偏芯ピン７１は、この中心軸Ｃ１を中心として回転可能に構成されている。本実施形態の偏芯ピン７１は、径方向の断面が略円形に構成されている。
【００４３】
図７（ａ）は、レンズ保持枠４０を固定していない状態（図５に対応）における偏芯部７４の位置を示す。また、図７（ｂ）は、レンズ保持枠４０を固定した状態（図６に対応）における偏芯部７４の位置を示す。
【００４４】
偏芯ピン７１は、図５及び図６に示すように、固定部材５２の雌ネジ５５にネジ込まれた状態で使用される。偏芯ピン７１において、ドライバ溝７３にドライバ（不図示）の先端を係合させて時計回りに回転させることにより、偏芯部７４を回転させることができる。例えば、偏芯ピン７１を、図７（ａ）に示す状態から時計回りに１８０°回転させると、偏芯部７４は、図７（ｂ）に示すように、全体が１８０°反対側の位置に移動する。
【００４５】
一方、図５及び図６に示すように、レンズ保持枠４０には、切り欠き部４１が形成されている。切り欠き部４１は、図２に示すように、偏芯ピン７１が配置される箇所に形成されている。
【００４６】
レンズ保持枠４０には、押圧座面４１ａが形成されている。押圧座面４１ａは、固定部材５２の側に形成されている。一方、固定部材５２には、固定座面５２ａが形成されている。固定座面５２ａは、レンズ保持枠４０の側に形成されている。押圧座面４１ａ及び固定座面５２ａは、光軸ＯＡと直交する平面を有する。このため、レンズ保持枠４０の押圧座面４１ａと、固定部材５２の固定座面５２ａとは、図５及び図６に示すように、互いに平行に当接する。
【００４７】
また、レンズ保持枠４０には、被押圧座面４１ｂが形成されている。被押圧座面４１ｂは、偏芯ピン７１の偏芯部７４が当接する座面である。被押圧座面４１ｂは、押圧座面４１ａの反対側、すなわちレンズマウント１Ｍの側に形成されている。被押圧座面４１ｂは、光軸ＯＡと直交する平面を有する。
【００４８】
偏芯ピン７１の偏芯部７４は、図７（ａ）に示す位置では、レンズ保持枠４０の被押圧座面４１ｂと当接していない。この場合、偏芯ピン７１の偏芯部７４は、図５に示すように、レンズ保持枠４０を固定部材５２に対して固定しない状態となる。
【００４９】
一方、偏芯ピン７１の偏芯部７４は、図７（ｂ）に示す位置では、レンズ保持枠４０の被押圧座面４１ｂと当接する。この場合に、偏芯ピン７１の偏芯部７４は、図６に示すように、レンズ保持枠４０を固定部材５２に対して固定する状態となる。すなわち、偏芯部７４は、中心軸Ｃ１を中心として回転することにより、固定部材５２との間にレンズ保持枠４０を挟むようにして、レンズ保持枠４０を固定部材５２に対して固定する。
【００５０】
なお、レンズ保持枠４０の外周面側に位置する部材（例えば、固定筒１０やカム筒２０等）において、偏芯ピン７１と対応する位置には、外部からドライバの先端を挿入するための調整孔（不図示）が形成されている。
【００５１】
本実施形態において、光軸調整機構６０Ａの調芯ビス６１は、光軸固定機構７０Ａの偏芯ピン７１の近傍に配置されている。このため、光軸調整機構６０Ａの調芯ビス６１と光軸固定機構７０Ａの偏芯ピン７１とは、共通の調整孔からドライバが挿入される。光軸調整機構６０Ｂの調芯ビス６１及び光軸固定機構７０Ｂの偏芯ピン７１についても、同様に構成されている。光軸固定機構７０Ｃの偏芯ピン７１については、専用の調整孔が形成されている。
【００５２】
本実施形態において、上述したレンズ保持枠４０、連結部材５０、押圧バネ６２、調芯ビス６１及び偏芯ピン７１は、本発明における光学装置を構成する。また、本実施形態において、上記光学装置を備えたレンズ鏡筒１は、本発明における光学機器を構成する。
【００５３】
次に、光軸調整機構６０Ａ，６０Ｂにより、第４レンズ群Ｌ４の光軸調整を行なう場合の動作について説明する。
【００５４】
第４レンズ群Ｌ４を光軸調整する場合には、光軸調整機構６０Ａ及び光軸調整機構６０Ｂのそれぞれの調芯ビス６１を、ドライバ（不図示）により時計回り又は反時計回りに回転させる。これにより、調芯ビス６１が光軸ＯＡの方向又は反対方向に移動する。
【００５５】
調芯ビス６１を光軸ＯＡの方向に移動させると、調芯ビス６１は、レンズ保持枠４０を光軸ＯＡの方向に押圧する。このため、レンズ保持枠４０は、光軸ＯＡと交差する面内において、押圧バネ６２の側に移動する。調芯ビス６１により押圧されたレンズ保持枠４０は、押圧バネ６２の付勢力により、移動した位置で支持される。
【００５６】
一方、調芯ビス６１を光軸ＯＡと反対方向に移動させると、調芯ビス６１がレンズ保持枠４０を光軸ＯＡと交差する方向に押圧する力が弱められる。このため、レンズ保持枠４０は、光軸ＯＡと交差する面内において、押圧バネ６２の付勢力により、調芯ビス６１の側に移動する。調芯ビス６１の側に移動したレンズ保持枠４０は、押圧バネ６２の付勢力により、移動した位置で支持される。
【００５７】
なお、レンズ保持枠４０は、調芯ビス６１により光軸ＯＡと交差する方向に押圧される。しかし、レンズ保持枠４０を支持しているのは、押圧バネ６２による付勢力であるため、調芯ビス６１の押圧によりレンズ保持枠４０に変形を生じることはない。
【００５８】
このように、光軸調整機構６０Ａ及び光軸調整機構６０Ｂのそれぞれの調芯ビス６１を、光軸ＯＡの方向又は反対方向に移動することにより、レンズ保持枠４０に保持された第４レンズ群Ｌ４の光軸調整を行うことができる。
【００５９】
なお、第４レンズ群Ｌ４の光軸調整を行なう場合には、光軸固定機構７０Ａ〜７０Ｃのそれぞれの偏芯ピン７１（偏芯部７４）を、図５に示す位置に移動させて、レンズ保持枠４０を固定部材５２に対して固定しない状態とする。
【００６０】
次に、光軸固定機構７０Ａ〜７０Ｃにより、光軸調整された第４レンズ群Ｌ４の位置を固定する場合の動作について説明する。
【００６１】
光軸調整された第４レンズ群Ｌ４の位置を固定する場合には、光軸固定機構７０Ａ〜７０Ｃのそれぞれの偏芯ピン７１を、ドライバ（不図示）により時計回り又は反時計回りに１８０°回転させる。すなわち、偏芯ピン７１の偏芯部７４を、図５（図７（ａ））に示す位置から、図６（図７（ｂ））に示す位置に移動させる。これにより、偏芯ピン７１の偏芯部７４は、レンズ保持枠４０の被押圧座面４１ｂと当接して、レンズ保持枠４０を固定部材５２の方向に押圧する。この結果、第４レンズ群Ｌ４を保持したレンズ保持枠４０は、光軸調整された位置で固定部材５２に固定される。
【００６２】
上述した第１実施形態によれば、以下のような効果を奏する。
（１）本実施形態のレンズ鏡筒１は、光軸と交差する面内に中心軸Ｃ１（軸線）を有し、この中心軸Ｃ１を中心として回転することにより、レンズ保持枠４０を固定部材５２に対して固定する状態又はレンズ保持枠４０を固定部材５２に対して固定しない状態とする偏芯ピン７１を備える。このため、第４レンズ群Ｌ４の光軸調整後に、偏芯ピン７１を回転させて、レンズ保持枠４０を固定部材５２の方向に押圧することにより、レンズ保持枠４０を光軸調整された位置で固定部材５２に固定することができる。これによれば、レンズ保持枠４０をレンズ鏡筒１の内部に強固に固定することができるので、レンズ鏡筒１に振動や衝撃等の外力が作用しても、レンズ保持枠４０の位置がずれるのを確実に防止することができる。このように、本実施形態のレンズ鏡筒１によれば、光軸を正確な位置に固定ることができるので、良好な光学特性を得ることができる。
【００６３】
（２）本実施形態のレンズ鏡筒１において、調芯ビス６１及び偏芯ピン７１は、光軸ＯＡと交差する方向からドライバ等により回転させることができる。従って、光軸調整と光軸固定の作業を短時間且つ容易に行なうことができる。
【００６４】
ちなみに、レンズ保持枠を光軸方向（光軸と平行な方向）にネジ止めして固定するレンズ鏡筒が知られている（例えば、特開２００６−５８５８２号公報、特開２０００−６６０７６号公報等）。これらレンズ鏡筒では、光学調整装置で光軸を調整した後に、レンズ鏡筒を一旦光学調整装置から外して、レンズ保持枠をネジ止めして固定する。その後、レンズ鏡筒を再び光学調整装置に装着して、光学性能を確認する必要がある。このように、レンズ保持枠を光軸方向にネジ止めして固定するレンズ鏡筒では、光軸の調整やレンズ保持枠の固定を行なう度に、レンズ鏡筒を光学調整装置に装着しなければならない。
【００６５】
しかし、本実施形態のレンズ鏡筒１では、光学調整装置で光軸を調整した後、レンズ鏡筒１を光学調整装置から外すことなしに、レンズ保持枠４０を固定する作業を行うことができる。従って、本実施形態のレンズ鏡筒１は、レンズ鏡筒１の内部にレンズ保持枠４０を組み付ける際の作業性に優れている。
【００６６】
また、本実施形態と同様に、レンズ保持枠を光軸と交差する方向（レンズの径方向）からネジ止めして固定するレンズ鏡筒が知られている。このレンズ鏡筒では、光学調整装置にレンズ鏡筒を装着したままで、光軸の調整とレンズ保持枠の固定とを行なうことができる。しかし、レンズ保持枠を光軸と交差する方向にネジ止めして固定すると、レンズ保持枠が変形し、光軸にずれが生じるおそれがある。この場合には、再びレンズ保持枠の固定を解除して、光軸を調整しなければならない。このように、レンズ保持枠を光軸と交差する方向からネジ止めして固定するレンズ鏡筒では、レンズ保持枠の固定と光軸の調整とを交互に繰り返す必要がある。このため、光軸調整に時間がかかるだけでなく、高精度な光軸調整が難しい。
【００６７】
しかし、本実施形態のレンズ鏡筒１では、レンズ保持枠４０を光軸ＯＡの方向に押圧して固定するため、レンズ保持枠４０に変形を生じることがない。従って、本実施形態のレンズ鏡筒１は、光軸調整を短時間で行なうことができ、また高精度な光軸調整を行なうことができる。
【００６８】
（３）本実施形態のレンズ鏡筒１において、連結部材５０は、レンズ保持枠４０の光軸ＯＡの方向へ移動するのを規制する固定部材５２を備える。そして、偏芯ピン７１は、固定部材５２との間にレンズ保持枠４０を挟むように光軸ＯＡと交差する中心軸Ｃ１（軸線）を中心として回転する。従って、偏芯ピン７１を時計回り又は反時計回りに回転させるという簡単な作業により、レンズ保持枠４０を確実に固定することができる。
【００６９】
（４）本実施形態のレンズ鏡筒１において、偏芯ピン７１は、光軸ＯＡの方向から見たときに、レンズ保持枠４０の外周に沿って等間隔で３箇所に配置されている。従って、必要最小限の偏芯ピン７１により、レンズ保持枠４０の外周を均等に押圧することができる。従って、必要最小限の偏芯ピン７１でレンズ保持枠４０を確実に固定することができる。また、レンズ保持枠４０の位置ずれを長期間に亘って抑えることができる。
【００７０】
（５）本実施形態のレンズ鏡筒１において、光軸調整機構６０Ａの調芯ビス６１は、光軸固定機構７０Ａの偏芯ピン７１の近傍に配置されている。また、光軸調整機構６０Ｂの調芯ビス６１は、光軸固定機構７０Ｂの偏芯ピン７１の近傍に配置されている。このため、ドライバ等の調整工具を同じ位置からレンズ鏡筒１に挿入することができる。従って、光軸調整とレンズ保持枠４０の固定とを効率良く行なうことができる。
【００７１】
また、ドライバ等の先端を挿入するための調整孔を少なくすることができる。このため、カム筒２０に形成するカム溝の位置に影響を与えることが少なく、カム溝の設計に柔軟性を持たせることができる。また、調整孔の少なくすることができるので、レンズ鏡筒１の強度を高めることができる。
【００７２】
＜第２実施形態＞
次に、本発明の第２実施形態について説明する。第２実施形態においては、第１実施形態と同等部分には同一符号を付して説明する。また、第２実施形態に特徴的な構成についてのみ説明し、共通する構成については説明を省略する。
【００７３】
図８は、第２実施形態における光軸固定機構７０Ｄの構成を示す概略断面図である。本実施形態の連結部材５０Ａには、押圧バネ支持部５６が設けられている。押圧バネ支持部５６は、連結部材５０Ａのレンズマウント１Ｍ側の端部に設けられている。
【００７４】
押圧バネ支持部５６には、第１凹部５７が形成されている。第１凹部５７は、押圧バネ６９（後述）の一方の側が嵌め込まれる溝である。一方、レンズ保持枠４０Ａには、第２凹部４２が形成されている。第２凹部４２は、押圧バネ６９の他方の側が嵌め込まれる溝である。第１凹部５７と第２凹部４２とは、光軸ＯＡに沿って互いに対向する位置に配置されている。
【００７５】
押圧バネ６９は、レンズ保持枠４０を固定部材５２の側に付勢する弾性部材である。押圧バネ６９は、押圧された方向と反対側の方向に付勢力を発生する圧縮（コイル）バネである。押圧バネ６９は、第１凹部５７と第２凹部４２との間に配置されている。レンズ保持枠４０は、押圧バネ６９の付勢力により、固定部材５２の側に付勢されている。
【００７６】
押圧バネ６９は、偏芯ピン７１と同様に、光軸ＯＡを中心として、周方向に１２０°離れた位置に配置されている（図示を省略）。また、押圧バネ６９は、偏芯ピン７１の近傍に設けられている。
【００７７】
本実施形態のレンズ保持枠４０Ａは、押圧バネ６９の付勢力により、固定部材５２の側に付勢されている。これにより、レンズ保持枠４０Ａの押圧座面４１ａと、固定部材５２の固定座面５２ａとを、常に当接した状態に維持することができる。
【００７８】
上述した第２実施形態によれば、第１実施形態の効果に加えて、以下のような効果を奏する。
【００７９】
（６）本実施形態のレンズ保持枠４０Ａは、押圧バネ６９の付勢力により、固定部材５２の側に付勢されている。このため、偏芯ピン７１がレンズ保持枠４０を固定していない状態において、レンズ保持枠４０が光軸ＯＡの方向に倒れるのを防止することができる。従って、より高精度な光軸調整を行なうことができる。
【００８０】
なお、光軸調整時において、レンズ保持枠４０Ａは、光軸ＯＡと交差する面内に移動する。一方、押圧バネ６９は、レンズ保持枠４０Ａの移動した方向に撓み変形する。このため、光軸調整時に、押圧バネ６９がレンズ保持枠４０Ａの移動を妨げることがない。
【００８１】
（変形形態）
以上説明した実施形態に限定されることなく、本発明は以下に示すような種々の変形や変更が可能であり、それらも本発明の範囲内である。
【００８２】
第１及び第２実施形態において、２つの光軸調整機構６０Ａ，６０Ｂは、光軸ＯＡを中心として、周方向に９０°離れた位置に配置されている。これに限らず、３つの光軸調整機構を、光軸ＯＡを中心として、周方向に１２０°離れた位置に配置した構成としてもよい。更に、４つ以上の光軸調整機構を周方向に等間隔に配置した構成としてもよい。
【００８３】
第１及び第２実施形態において、３つの光軸固定機構７０Ａ〜７０Ｃは、光軸ＯＡを中心として、周方向に１２０°離れた位置に配置されている。これに限らず、４つの光軸固定機構を、光軸ＯＡを中心として、周方向に９０°離れた位置に配置した構成としてもよい。更に、５つ以上の光軸固定機構を周方向に等間隔に配置した構成としてもよい。
【００８４】
第１及び第２実施形態において、偏芯ピン７１の偏芯部７４は、径方向の断面が略円形に構成されている。これに限らず、径方向の断面は楕円形やカム形状であってもよい。
【００８５】
第１及び第２実施形態では、第４レンズ群Ｌ４を保持するレンズ保持枠４０に光軸調整機構６０Ａ，６０Ｂ及び光軸固定機構７０Ａ〜７０Ｃを適用した例について説明した。これに限らず、他のレンズ群を保持するレンズ保持枠に光軸調整機構６０Ａ，６０Ｂ及び光軸固定機構７０Ａ〜７０Ｃを適用した構成としてもよい。
【００８６】
第２実施形態において、押圧バネ６９は、光軸ＯＡを中心として、周方向に１２０°離れた位置に配置されている。これに限らず、４つの押圧バネ６９、光軸ＯＡを中心として、周方向に９０°離れた位置に配置されている。更に、５つ以上の押圧バネ６９を周方向に等間隔に配置した構成としてもよい。
【００８７】
第１及び第２実施形態では、本発明に係る光学機器をレンズ鏡筒として構成した例について説明した。これに限らず、本発明に係る光学機器は、例えば、レンズ一体型のスチルカメラやビデオカメラ、望遠鏡、顕微鏡等として構成することもできる。
【００８８】
また、上記実施形態及び変形形態は適宜に組み合わせて用いることができるが、各実施形態の構成は図示と説明により明らかであるため、詳細な説明を省略する。更に、本発明は以上説明した実施形態によって限定されることはない。
【符号の説明】
【００８９】
１：レンズ鏡筒、１０：固定筒、２０：カム筒、３０：外筒、４０，４０Ａ：レンズ保持枠、５０，５０Ａ：連結部材、５２：固定部材、６０Ａ，６０Ｂ：光軸調整機構、６１：調芯ビス、６９：押圧バネ、７０Ａ，７０Ｂ，７０Ｃ，７０Ｄ：光軸固定機構、７１：偏芯ピン、７４：偏芯部
【図１】
2012141536.tif 000003
【図２】
2012141536.tif 000004
【図３】
2012141536.tif 000005
【図４】
2012141536.tif 000006
【図５】
2012141536.tif 000007
【図６】
2012141536.tif 000008
【図７】
2012141536.tif 000009
【図８】
2012141536.tif 000010